(57)【特許請求の範囲】
【請求項１】
本体内に、複数の電子部品が実装されると共に基準電位層が形成された回路基板と、前記複数の電子部品のうち少なくとも２つ以上の電子部品を各々囲むように前記基準電位層上に立設された壁部と該壁部の一方の開口を塞ぐ平板部と、を備え、
前記回路基板上の前記電子部品を覆うシールド部材と、が積層配置され、且つ前記回路基板と前記シールド部材との側方に基地局と無線通信を行うアンテナが配設された携帯無線機であって、
前記アンテナ近傍の壁部を、前記アンテナ近傍の平板部の端部よりも内側に位置するように配することにより、前記平板部の端部よりも前記アンテナ近傍の壁部のほうが前記アンテナから遠くなるようになしたことを特徴とする携帯無線機。
【請求項２】
前記アンテナは、前記回路基板と前記シールド部材との各端部に対向する第一部位と、前記回路基板の前記シールド部材が配されていない方の面に対向する第二部位とを有することを特徴とする請求項１に記載の携帯無線機。
【請求項３】
前記電子部品として、送信部を構成する部品と、受信部を構成する部品と、制御部を構成する部品とを含み、前記基準電位層及び前記壁部は、前記送信部と前記受信部と前記制御部とをそれぞれ区画するように設けられ、且つ前記送信部は前記回路基板における前記アンテナ近傍の位置に配されると共に、前記アンテナと前記送信部との間に位置する前記壁部と前記回路基板との間に開口部を設けたことを特徴とする請求項１又は２に記載の携帯無線機。
【発明の詳細な説明】
【技術分野】
【０００１】
本発明は、アンテナを内蔵した携帯電話機やＰＤＡ（Personal Digital Assistant）等の携帯無線機に関する。
【背景技術】
【０００２】
近年、アンテナを内蔵した携帯電話機やＰＤＡ（Personal Digital Assistant）等の携帯無線機は、機能の増加により部品点数が増加している一方、小型軽量化が要求されている。加えてデザインも重視されるようになってきたことから、従来筐体外に突出させて設けられていたアンテナは小型化され、更には、筐体内にアンテナを内蔵するようになってきている。アンテナを内蔵した携帯無線機としては、例えば、特許文献１に開示されているものがある。
特許文献１に開示されている携帯無線機は、折り畳み式のもの、即ち、表示部を有する第一筐体と操作部を有する第二筐体とをヒンジ部で連結したものである。このような構成は、折り畳んだ状態での小型化を実現しつつ、表示部及び操作部を大型化することを狙ったものである。
このような構成であると、折り畳んだ状態の携帯無線機が分厚くならないように各筐体を薄型化する必要がある。しかし、所定の強度は確保しなければならないので、各筐体に内蔵される各種部品の強度を利用し、全体として所定の強度を得られるよう、部品の形状や配置が工夫されている。
また、携帯無線機には、不要輻射への対応が重視されていることから、外部からのノイズに対する耐性を向上させるとともに部品から出るノイズが無線部に悪影響を与えないようにするためにシールド部材が設けられている。シールド部材は、例えば金属で形成され、ある程度の強度を有することから、上述の携帯無線機の強度を増すための部品としても利用されている。
【特許文献１】特開２００３−８３２０号公報
【発明の開示】
【発明が解決しようとする課題】
【０００３】
上述のように、従来の携帯無線機においては、小型化及びデザイン重視の傾向から、筐体に内蔵される部品の配置の自由度が低下している。このため、内蔵されたアンテナと他の部品とが近接する傾向は、避けがたいものとなっている。しかし、アンテナと基準電位部とがあまりに近接してしまうことには問題があり、特に、シールド部材のような回路基板上の基準電位層に接続された部材がアンテナ近傍に存在していると、アンテナ特性が低下してしまう。よって、アンテナ特性を損なわない部品形状及び配置を実現する必要がある。
【０００４】
本発明は、上述した事情に鑑みてなされたもので、所定の強度を確保しながら小型化を実現しつつアンテナ特性を良好に保つことを目的とする。
【課題を解決するための手段】
【０００５】
上記課題を解決するために、本発明に係る携帯無線機は、本体内に、複数の電子部品が実装されると共に基準電位層が形成された回路基板と、前記複数の電子部品のうち少なくとも２つ以上の電子部品を各々囲むように前記基準電位層上に立設された壁部と該壁部の一方の開口を塞ぐ平板部と、を備え、前記回路基板上の前記電子部品を覆うシールド部材と、が積層配置され、且つ前記回路基板と前記シールド部材との側方に基地局と無線通信を行うアンテナが配設された携帯無線機であって、前記アンテナ近傍の壁部を、前記アンテナ近傍の平板部の端部よりも内側に位置するように配することにより、前記平板部の端部よりも前記アンテナ近傍の壁部のほうが前記アンテナから遠くなるようになしたことを特徴とする。
【０００６】
前記アンテナは、前記回路基板と前記シールド部材との各端部に対向する第一部位と、前記回路基板の前記シールド部材が配されていない方の面に対向する第二部位とを有することを特徴とする。
【０００７】
前記電子部品として、送信部を構成する部品と、受信部を構成する部品と、制御部を構成する部品とを含み、前記基準電位層及び前記壁部は、前記送信部と前記受信部と前記制御部とをそれぞれ区画するように設けられ、且つ前記送信部は前記回路基板における前記アンテナ近傍の位置に配されると共に、前記アンテナと前記送信部との間に位置する前記壁部と前記回路基板との間に開口部を設けたことを特徴とする。
【発明の効果】
【０００８】
本発明によれば、シールド部材を回路基板上の電子部品と外部とを隔ててノイズを遮断しつつキー基板を支持する形状にすると共に、シールド部材の一部をアンテナから離間させるようにしたため、キースイッチの操作性を損なうことなく携帯無線機を小型化すると共に、本体内に内蔵されたアンテナの特性を良好に保つことができる。
【発明を実施するための最良の形態】
【０００９】
以下、本発明の一実施形態について図面を参照して説明する。図１は、本実施形態におけるにおける携帯電話機１（携帯無線機）の外観を示す斜視図である。携帯電話機１は、表示部２及びスピーカ３を有する第一本体４と、操作部５及びマイク６を有する第二本体７とを備えている。第一本体４と第二本体７とは、一端部をヒンジ部８によって連結され、ヒンジ部８が回動することによって互いの他端部が近接／離間するように構成されている。これにより、携帯電話機１は、第一本体４と第二本体７とを厚さ方向に重ね合わせた状態に折り畳み可能となっている。
【００１０】
図２は、第二本体７の構成を示す分解斜視図であり、図３は、第二本体７の一部分の構造を示す断面図である。第二本体７は、上筐体１１及び下筐体１２と、回路基板１３と、シールド部材１４と、キー基板１５と、アンテナ１６と、バッテリー１７とを備えている。
【００１１】
回路基板１３には、各種電子部品１８が実装され、更に、電子部品１８を囲んで基準電位層１９が形成されている。電子部品１８は、具体的には、送信部１８ａや受信部（図示せず）を構成するトランジスタやコンデンサ等の各種素子や、制御部を構成するＣＰＵ（図示せず）等の各種素子である。
バッテリー１７は、上記各電子部品に電力を供給するようになっている。
【００１２】
シールド部材１４は、導電性を有する金属製の部材であり、平板部２０と壁部２１とを有している。平板部２０は、回路基板１３の片側を覆う。壁部２１は、基準電位層１９に対応させて設けられ、平板部２０のから突出して基準電位層１９に接するように形成されている。
なお、シールド部材１４は、金属製のものだけに限らず、例えば、平板部２０を金属により形成すると共に、壁部２１をプラスチックや樹脂により形成し、両者を接着剤で接合した後、壁部２１に導電層を被覆したものや、或いはシールド部材１４全体をプラスチックや樹脂で形成し、その上に導電層を被覆したものであっても構わない。
【００１３】
操作部５は、ユーザからの操作を受け付ける複数のボタンを有している。
キー基板１５は、その表面上にキースイッチ２２を備えている。キースイッチ２２は、操作部５が有するボタンに対応させて設けられており、操作部５が操作されることにより押下される。キー基板１５は、上筐体１１とシールド部材１４の平板部２０との間に設けられている。シールド部材１４は、キー基板１５が、操作部５を介してユーザから押圧されても変形しないように、平板部２０にて、キー基板１５を支持している。このため、ユーザが各ボタンを操作する際、各ボタンはユーザに対して略同じ操作感を与えることができ、ボタンの操作性を向上させることができる。
【００１４】
一方、アンテナ１６は、板金や金属箔或いは導電膜からなる放射素子からなり、略直交する第一部位１６ａと第二部位１６ｂとを有し、略Ｌ字型の断面を持つ形状とされている。第一部位１６ａは、シールド部材１４の壁部２１に対向する。第二部位１６ｂは、回路基板１３のシールド部材１４で覆われていない方の面に対向する。
なお、アンテナ１６は、下筐体１２の内壁面に貼設されるか、或いは、プラスチックや樹脂からなる不図示の基台に設けられ、基台を下筐体１２に係合手段等を介して固定するようになっている。
【００１５】
このような構成の携帯電話機１において、表示部２は、ユーザに、操作状況や通話相手の電話番号等の各種情報を表示して伝える。スピーカ３は、通話相手から発せられた音声等の各種音声を出力する。操作部５は、ユーザからの操作を受け付ける。マイク６は、携帯電話機１の周囲で発せられた各種音声を捉える。アンテナ１６は、基地局から受信した電波を受信部へ出力し、また、送信部１８ａが出力した信号を電波として基地局へ出力する。
【００１６】
ところで、アンテナ１６は、基準電位層に接続された部材が極めて近傍に配置されていると、アンテナ特性が低下するという性質を持っており、本実施形態の携帯電話機１では、シールド部材１４がこれに相当する。そこで、本実施形態では、シールド部材１４のアンテナ１６側の端部を、平板部２０が回路基板１３上の電子部品１８を覆い且つキー基板１５を支持可能な範囲の限界位置まで後退させるようにした。即ち、シールド部材１４を構成する壁部２１のうち、アンテナ１６側の壁部２１ａ、２１ｃを平板部２０のアンテナ１６側の端部２０ａよりも距離ｄだけ内側に配してアンテナ１６から離間させてある。
【００１７】
また、回路基板１３における電子部品１８の配置にあたって、各電子部品１８のノイズに対する耐性と、各電子部品１８が出すノイズとを考慮している。受信部は、ノイズの影響を受けると受信感度が劣化してしまうのに対して、送信部１８ａは、ノイズの影響を受け難い。そこで、シールド部材１４によるノイズ遮断が比較的厳重でなくても問題のない送信部１８ａをアンテナ１６に近い位置に配置した。これにより、アンテナ１６に最寄りの電子部品１８、即ち送信部１８ａとアンテナ１６とを隔てる壁部２１ａは、厳重なノイズ遮断を要求されないものとすることができるので、この壁部２１ａと回路基板１３との間に、開口部２１ｂを形成した。開口部２１ｂを形成することにより、壁部２１ａをアンテナ１６から離間させることができるため、アンテナ特性の低下を更に防止することができる。
【００１８】
また更に、アンテナ１６に対向する他の壁部２１ｃは、平板部２０のアンテナ１６側の端部２０ａよりも後退させた。これにより、アンテナ１６から導電性の部材を遠ざけることができるので、アンテナ特性を損なわないようにすることができる。
【００１９】
以上のような構成により、本実施形態によれば、第二本体７の他端部（ヒンジ部８によって第一本体４に連結された端部の逆側の端部）近くにまで操作部５を形成することができるため、携帯電話機１を小型化できると共に、操作部５の操作性を損なうことがない。また、アンテナ１６に対向するシールド部材１４の壁部２１ａ、２１ｃをアンテナ１６に対向する平板部２０の端部２０ａよりも内側に配してアンテナ１６との距離を長くすることができるため、アンテナ特性が損なわれることを大幅に低減することができる。
【図面の簡単な説明】
【００２０】
【図１】本発明の一実施形態における携帯電話機の外観を示す斜視図である。
【図２】本発明の一実施形態における携帯電話機の一部の構成を示す分解斜視図である。
【図３】本発明の一実施形態における携帯電話機の特徴部分の構造を示す断面図である。
【符号の説明】
【００２１】
１…携帯電話機、  ２…表示部、  ３…スピーカ、  ４…第一本体、  ５…操作部、  ６…マイク、  ７…第二本体、  ８…ヒンジ部、  １１…上筐体、  １２…下筐体、  １３…回路基板、  １３ａ…端部、  １４…シールド部材、  １５…キー基板、  １６…アンテナ、  １６ａ…第一部位、  １６ｂ…第二部位、  １７…バッテリー、  １８…電子部品、  １８ａ…送信部、  １９…基準電位層、  ２０…平板部、  ２０ａ…端部、  ２１…壁部、  ２１ａ…壁部、  ２１ｂ…開口部、  ２１ｃ…壁部、  ２２…キースイッチ
【図１】
0004675775.tif 000002
【図２】
0004675775.tif 000003
【図３】
0004675775.tif 000004